(57)【要約】【課題】被投写面へ出射される映像光の状態を簡易に調整できる投写型表示装置を提供する。【解決手段】プロジェクタ１は、光源ランプ２０１と、光源ランプ２０１からの光を変調して映像光を生成する液晶パネル２１１、２１３、２１６と、液晶パネル２１１、２１３、２１６により生成された映像光を被投写面に投写する投写レンズユニット３０と、投写レンズユニット３０の出射口の周辺位置に配され、投写レンズユニット３０から出射された映像光を検出する照度センサ４０１と、照度センサ４０１の検出結果に基づいて映像光の輝度を調整するＣＰＵ５０１およびパネル駆動回路５０７とを備える。【選択図】図３
2012242457.tif 000002
【特許請求の範囲】
【請求項１】
光源と、
前記光源からの光を変調して映像光を生成する光変調部と、
前記光変調部により生成された前記映像光を被投写面に投写する投写部と、
前記投写部の出射口の周辺位置に配され、前記投写部から出射された前記映像光を検出する光検出部と、
前記光検出部の検出結果に基づいて前記映像光の状態を調整する調整部と、
を備えたことを特徴とする投写型表示装置。
【請求項２】
請求項１に記載の投写型表示装置において、
前記光検出部は、前記投写部から出射された前記映像光の光路に掛からない位置に配され、当該光路から漏れた光を検出することにより、前記映像光を間接的に検出する、
ことを特徴とする投写型表示装置。
【請求項３】
請求項２に記載の投写型表示装置において、
前記光検出部は、その受光面が前記映像光の光路の方向を向くよう配される、
ことを特徴とする投写型表示装置。
【請求項４】
請求項１ないし３の何れか一項に記載の投写型表示装置において、
前記出射口の周辺位置に配され前記光検出部を収容する不透明なホルダを備え、
前記ホルダは、前記光検出部の周囲を覆うとともに前記光検出部の受光面を外部に開放する開口を有し、前記開口が前記映像光の光路の方向を向くように設置される、
ことを特徴とする投写型表示装置。
【請求項５】
請求項１ないし４の何れか一項に記載の投写型表示装置において、
前記光検出部は、照度センサであり、
前記調整部は、前記照度センサにより検出された照度に基づいて、前記投写部から出射される前記映像光の輝度を調整する、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）は、光源からの光を光変調素子で変調し、変調された光（以下、「映像光」という）をスクリーン等の被投写面に投写する。
【０００３】
かかるプロジェクタでは、複数のプロジェクタを用いて、大型のスクリーンに一つの画像を投写する使用形態が採られ得る（図６参照）。この場合、投写される全体の画像が、プロジェクタの個数の領域に分割される。各プロジェクタからは、対応する分割領域の画像が投写される。なお、上記の使用形態を、以下「マルチスクリーン投写」と称する。
【０００４】
光源や光変調素子などの構成部品の性能がプロジェクタ間でばらつくことによって、各プロジェクタから出力される映像光の状態、たとえば、輝度や色度にばらつきが生じる。このため、マルチスクリーン投写が行われる場合、プロジェクタ間での映像光の状態のばらつきを抑えるよう、プロジェクタ毎に映像光の状態を調整する必要がある。
【０００５】
そこで、各プロジェクタから出力される映像光を光センサにて検出し、検出結果に基づいて映像光の状態を調整する構成が採られ得る。光センサは、たとえば、スクリーン上において、２つの分割領域の境界位置に配され得る（特許文献１参照）。
【先行技術文献】
【特許文献】
【０００６】
【特許文献１】ＷＯ９９／５３６９３号公報（再公表公報）
【発明の概要】
【発明が解決しようとする課題】
【０００７】
上記構成のように、スクリーン上に光センサが配される場合には、複数のプロジェクタを設置した上で、さらに、光センサをスクリーン上に配置して、光センサとプロジェクタとを接続する作業が必要となる。このため、マルチスクリーン投写を行う際の調整作業が煩雑になり易い。
【０００８】
本発明は、かかる課題に鑑みてなされたものであり、被投写面へ出射される映像光の状態を簡易に調整できる投写型表示装置を提供することを目的とする。
【課題を解決するための手段】
【０００９】
本発明の投写型表示装置は、光源と、前記光源からの光を変調して映像光を生成する光変調部と、前記光変調部により生成された前記映像光を被投写面に投写する投写部と、前記投写部の出射口の周辺位置に配され、前記投写部から出射された前記映像光を検出する光検出部と、前記光検出部の検出結果に基づいて前記映像光の状態を調整する調整部と、を備える。
【００１０】
本発明の投写型表示装置によれば、被投写面へ出射される映像光の状態、たとえば、輝度や色度等を検出するために、被投写面に光検出部を配置する作業が不要となる。よって、投写型表示装置をマルチスクリーン投写に用いるなど、映像光の状態の調整を行う際に、調整作業を簡易に行うことができる。
【００１１】
本発明の投写型表示装置において、前記光検出部は、前記投写部から出射された前記映像光の光路に掛からない位置に配され、当該光路から漏れた光を検出することにより、前記映像光を間接的に検出するような構成とされ得る。
【００１２】
このような構成とすれば、投写部から出射された映像光の一部が光検出部に遮られることを防止できる。よって、映像光が遮られることによる画像品質の劣化を防止できる。
【００１３】
本発明の投写型表示装置において、前記光検出部は、その受光面が前記映像光の光路の方向を向くよう配され得る。
【００１４】
このような構成とすれば、映像光の光路から漏れた光を効率よく受光できるので、光検出部によって良好な検出を行うことができる。
【００１５】
本発明の投写型表示装置は、前記出射口の周辺位置に配され前記光検出部を収容する不透明なホルダを備える構成とされ得る。この場合、前記ホルダは、前記光検出部の周囲を覆うとともに前記光検出部の受光面を外部に開放する開口を有し、前記開口が前記映像光の光路の方向を向くように設置される。
【００１６】
このような構成とすれば、光検出部が不透明なホルダに収容されているため、光検出に不要な迷光が光検出部に入射するのを抑制することができる。よって、映像光の検出精度を高めることができる。
【００１７】
本発明の投写型表示装置において、前記光検出部は、照度センサとされ得る。この場合、前記調整部は、前記照度センサにより検出された照度に基づいて、前記投写部から出射される前記映像光の輝度を調整する。
【００１８】
このような構成とすれば、映像光の輝度調整を行う際に、調整作業を良好に行うことができる。
【発明の効果】
【００１９】
以上のとおり、本発明によれば、被投写面へ出射される映像光の状態を良好に調整できる投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す図である。
【図２】実施の形態に係る光学エンジンの構成を示す図である。
【図３】実施の形態に係る投写レンズユニットおよびセンサユニットの構成を示す図である。
【図４】実施の形態に係るプロジェクタの回路系の構成を示す図である。
【図５】実施の形態に係るプロジェクタから出力される投写光（映像光）の輝度を調整するための輝度調整処理の動作を示すフローチャートである。
【図６】複数のプロジェクタを用いて、マルチスクリーン投写が行われている状態を示す図である。
【図７】変更例に係るプロジェクタについて説明するための図である。
【発明を実施するための形態】
【００２２】
以下、図面を参照して、実施の形態に係るプロジェクタについて説明する。
【００２３】
図１は、プロジェクタ１の構成を示す図である。同図を参照して、プロジェクタ１は、筺体となる、横長の略直方体形状のキャビネット１０を備えている。キャビネット１０には、前面左側に投写窓１０１が形成されており、前面右側および右側面にキャビネット１０内部から排気を行うための排気口１０２、１０３がそれぞれ形成されている。また、キャビネット１０の上面には、操作部１０４が設けられている。操作部１０４には、複数の操作キーが配されている。
【００２４】
キャビネット１０の内部には、光学エンジン２０および投写レンズユニット３０が配されている。光学エンジン２０は、映像信号に基づいて変調された映像光を生成する。光学エンジン２０には、投写レンズユニット３０が装着されており、投写レンズユニット３０の前端部が、投写窓１０１から前方に露出している。投写レンズユニット３０は、光学エンジン２０で生成された映像光を、プロジェクタ１の前方に配されたスクリーン面に拡大投写する。投写レンズユニット３０の出射口近傍には、センサユニット４０が配されている。センサユニット４０の構成については、後に詳述する。
【００２５】
図２は、光学エンジン２０の構成を示す図である。
【００２６】
光源ランプ２０１は、白色光を発する発光体と、発光体から発せられた光を反射するリフレクターとを備えている。発光体には、たとえば、水銀ランプ、超高圧水銀ランプ、あるいはメタルハライドランプが用いられる。
【００２７】
光源ランプ２０１から出射された白色光は、フライアイインテグレータ２０２、ＰＢＳアレイ２０３、コンデンサレンズ２０４を通過する。フライアイインテグレータ２０２は一対のレンズ２０２ａ、２０２ｂからなり、各レンズ２０２ａ、２０２ｂは蠅の目状に配列された多数の小レンズから構成されている。フライアイインテグレータ２０２に入射した光は、これら小レンズによって分割される。分割された各光は、コンデンサレンズ２０４により液晶パネル（後述する）に重畳される。これにより、液晶パネルに照射される光の光量分布が均一化される。また、フライアイインテグレータ２０２により分割された各光は、ＰＢＳアレイ２０３によって偏光方向が一方向に揃えられる。
【００２８】
コンデンサレンズ２０４を通過した光は、ダイクロイックミラー２０５に入射する。ダイクロイックミラー２０５は、入射した光のうち、赤色波長帯の光（以下、「Ｒ光」という）と緑色波長帯（以下、「Ｇ光」という）を透過し、青色波長帯（以下、「Ｂ光」という）を反射する。
【００２９】
ダイクロイックミラー２０５を透過したＲ光およびＧ光は、ダイクロイックミラー２０６に入射する。ダイクロイックミラー２０６は、Ｒ光を透過しＧ光を反射する。
【００３０】
ダイクロイックミラー２０６を透過したＲ光は、リレーレンズ２０７および反射ミラー２０８、２０９によってコンデンサレンズ２１０に導かれ、コンデンサレンズ２１０を通過して液晶パネル２１１に照射される。液晶パネル２１１は、赤色用の映像信号に応じて駆動され、その駆動状態に応じてＲ光を変調する。なお、液晶パネル２１１の入射側には、図示しない入射側偏光板が配されており、入射側偏光板を介して液晶パネル２１１にＲ光が照射される。また、液晶パネル２１１の出射側には図示しない出射側偏光板が配されており、液晶パネル２１１から出射されたＲ光が出射側偏光板に入射する。
【００３１】
ダイクロイックミラー２０６で反射されたＧ光は、コンデンサレンズ２１２を通過して液晶パネル２１３に照射される。液晶パネル２１３は、緑色用の映像信号に応じて駆動さ
れ、その駆動状態に応じてＧ光を変調する。なお、液晶パネル２１３の入射側には、図示しない入射側偏光板が配されており、入射側偏光板を介して液晶パネル２１３にＧ光が照射される。また、液晶パネル２１３の出射側には図示しない出射側偏光板が配されており、液晶パネル２１３から出射されたＧ光が出射側偏光板に入射する。
【００３２】
ダイクロイックミラー２０５で反射されたＢ光は、反射ミラー２１４によってコンデンサレンズ２１５に導かれ、コンデンサレンズ２１５を通過して液晶パネル２１６に照射される。液晶パネル２１６は、青色用の映像信号に応じて駆動され、その駆動状態に応じてＢ光を変調する。なお、液晶パネル２１６の入射側には、図示しない入射側偏光板が配されており、入射側偏光板を介して液晶パネル２１６にＢ光が照射される。また、液晶パネル２１６の出射側には図示しない出射側偏光板が配されており、液晶パネル２１６から出射されたＢ光が出射側偏光板に入射する。
【００３３】
液晶パネル２１１、２１３、２１６によって変調され、出射側偏光板から出射されたＲ光、Ｇ光、Ｂ光は、ダイクロイックプリズム２１７に入射する。ダイクロイックプリズム２１７は、Ｒ光、Ｇ光およびＢ光のうち、Ｒ光とＢ光を反射するとともにＧ光を透過し、これにより、Ｂ光、Ｇ光およびＲ光を色合成する。こうして、色合成された映像光が、ダイクロイックプリズム２１７から投写レンズユニット３０に向けて出射される。
【００３４】
なお、光学エンジン２０を構成する光変調素子としては、上記透過型の液晶パネル２１１、２１３、２１６の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３５】
図３は、投写レンズユニット３０およびセンサユニット４０の構成を示す図であり、プロジェクタ１における投写レンズユニット３０の周辺の縦断面図である。
【００３６】
投写レンズユニット３０は、ハウジング３０１内に前玉レンズ３０２を含む複数のレンズを備えている。投写レンズユニット３０に入射した映像光は、投写光として、前玉レンズ３０２からスクリーンに向けて出射される。
【００３７】
センサユニット４０は、照度センサ４０１と、照度センサ４０１を投写レンズユニット３０の出射口の周辺位置に保持するためホルダ４０２とを含む。
【００３８】
照度センサ４０１は、ホルダ４０２に保持されることにより、投写レンズユニット３０から出射された投写光の光路の近傍であって、光路に掛からない位置に配置される。照度センサ４０１は、投写光の光路から周囲に向けて放出される漏れ光の光量を検出することにより、投写光の光量を間接的に検出する。照度センサ４０１からは、受光量、即ち、照射された光の照度に応じた電流信号が出力される。投写光の輝度が高いほど、漏れ光が多くなるので、照度センサ４０１の受光量が多くなる。
【００３９】
照度センサ４０１は、その受光面４０１ａが、投写レンズユニット３０の光軸Ｌ、に対して略直交する方向Ｐを向くように、即ち、投写光の光路の方向を向くようにホルダ４０２内に収容されている。
【００４０】
ホルダ４０２には、開口部４０２ａが形成されている。開口部４０２ａは、投写光の光路の方向を向いており、開口部４０２ａを介して照度センサ４０１に漏れ光が取り込まれる。ホルダ４０２は、不透明な材料で形成されており、開口部４０２ａ以外からの光、即ち照度センサ４０１での検出に不要な迷光が遮断される。よって、照度センサ４０１によ
る漏れ光の検出精度が向上する。
【００４１】
ホルダ４０２は、たとえばネジ（図示せず）により、キャビネット１０に前端部に固定される。ホルダ４０２は、接着剤によって固定されても良い。
【００４２】
なお、漏れ光は、投写光の光路から外側に進んでいくほど弱くなる。よって、漏れ光を感度良く検出するためには、照度センサ４０１が、投写光の光路に掛からない範囲で、できる限り光路に近づけられることが望ましい。
【００４３】
図４は、プロジェクタ１の回路系の構成を示す図である。
【００４４】
液晶パネル２１１、２１３、２１６、光源ランプ２０１等を制御するため、プロジェクタ１は、制御回路部５０を備える。制御回路部５０は、ＣＰＵ５０１、メモリ５０２、キー入力回路５０３、入力切替回路５０４、Ａ／Ｄコンバータ５０５、信号処理回路５０６、パネル駆動回路５０７、ランプ駆動回路５０８を含む。
【００４５】
キー入力回路５０３は、操作部１０４のキー操作に応じた入力信号をＣＰＵ５０１へ出力する。
【００４６】
入力切替回路５０４は、複数の入力端子の中から接続する入力端子を切り替える。入力切替回路５０４によって接続された入力端子から映像信号、たとえば、ＲＧＢ信号が入力される。入力されたＲＧＢ信号がアナログである場合には、Ａ／Ｄコンバータ５０５によってデジタルのＲＧＢ信号に変換されて信号処理回路５０６に入力される。なお、ＲＧＢ信号がデジタル信号である場合には、Ａ／Ｄコンバータ５０５を介することなく信号処理回路５０６に入力される。
【００４７】
信号処理回路５０６は、走査変換回路５０９と、補正回路５１０とを含む。
【００４８】
走査変換回路５０９は、フレームメモリ５１１を用いて、入力された映像信号にスケーリング処理を施す。これにより、入力された映像信号が、液晶パネル２１１、２１３、２１６の画面サイズに適合する画面サイズの映像信号に変換される。
【００４９】
補正回路５１０は、入力された映像信号に対して、ホワイトバランス補正、ガンマ補正等の各種補正を行う。
【００５０】
信号処理回路５０６は、映像信号がＲＧＢ信号以外の信号である場合、かかる信号をＲＧＢ信号に変換する。信号処理回路５０６から出力されたＲＧＢ信号は、パネル駆動回路５０７に入力される。
【００５１】
パネル駆動回路５０７は、入力されたＲＧＢ信号に従って液晶パネル２１１、２１３、２１６を駆動する。即ち、パネル駆動回路５０７は、ＲＧＢの各信号を、対応する各液晶パネル２１１、２１３、２１６の画素電極に印加する駆動電圧信号に変換する。また、パネル駆動回路５０７は、液晶パネル２１１、２１３、２１６のコモン電極（対向電極）に印加するコモン電圧信号を生成する。そして、パネル駆動回路５０７は、これら駆動電圧信号およびコモン電圧信号を各液晶パネル２１１、２１３、２１６に出力する。画素電極とコモン電極との間の電位差に応じて液晶の配向性が変化することにより、液晶パネル２１１、２１３、２１６の透過光量が変化する。
【００５２】
ランプ駆動回路５０８は、ＣＰＵ５０１からの制御信号に従って光源ランプ２０１を駆動する。
【００５３】
メモリ５０２は、ＲＡＭ、ＲＯＭを含む。メモリ５０２には、ＣＰＵ５０１に制御機能を付与するための制御プログラムが記憶されている。
【００５４】
ＣＰＵ５０１は、メモリ５０２に記憶された制御プログラムに従って、信号処理回路５０６およびパネル駆動回路５０７を制御する。また、ＣＰＵ５０１は、制御プログラムに従って、ランプ駆動回路５０８に制御信号を出力することにより、光源ランプ２０１を制御する。
【００５５】
図５は、プロジェクタ１から出力される投写光（映像光）の輝度を調整するための輝度調整処理の動作を示すフローチャートである。
【００５６】
プロジェクタ１では、個々の製品毎に、光源ランプ２０１や液晶パネル２１１、２１３、２１６など、各構成部品の性能に多少のばらつきが生じる。このため、同じ画像を投写する場合であっても、投写光の輝度、即ち、投写される画像の輝度にばらつきが生じ得る。
【００５７】
たとえば、図６のように、複数のプロジェクタ１を用いて、大型のスクリーンに一つの画像を投写するマルチスクリーン投写が行われる場合、各プロジェクタ１間に輝度差が生じることにより画質が低下し得る。そこで、このような画質の低下を招かないよう、プロジェクタ１毎に投写光の輝度を調整する必要がある。
【００５８】
たとえば、ユーザにより、操作部１０４に対して所定の操作がなされると、輝度調整処理が実行される。
【００５９】
図５を参照して、ＣＰＵ５０１は、信号処理回路５０６に画像全体が白色となるテストパターン画像の映像信号を生成させ、生成したテストパターン画像をスクリーンに投写させる（Ｓ１）。
【００６０】
次に、ＣＰＵ５０１は、テストパターン画像を投写したときに照度センサ４０１により検出された照度を取得する（Ｓ２）。そして、ＣＰＵ５０１は、取得した照度が予め設定された規定照度であるか否かを判定し（Ｓ３）、規定照度でなければ（Ｓ３：ＮＯ）、規定照度に近づくように、投写光の輝度を調整する（Ｓ４）。
【００６１】
たとえば、ＣＰＵ５０１は、取得した照度が規定照度より低ければ、パネル駆動回路５０７から出力されるコモン電圧信号を低下させ、画素電極とコモン電極との間の電位差を大きくして、各液晶パネル２１１、２１３、２１６の透過光量を上昇させる。これにより、投写光の輝度を上昇させる。一方、ＣＰＵ５０１は、取得した照度が規定照度より高ければ、パネル駆動回路５０７から出力されるコモン電圧信号を上昇させ、画素電極とコモン電極との間の電位差を小さくして、各液晶パネル２１１、２１３、２１６の透過光量を低下させる。これにより、投写光の輝度を低下させる。
【００６２】
こうして、ＣＰＵ５０１は、ステップＳ２からステップＳ４の処理を繰り返す。そして、取得した照度が規定照度になると（Ｓ３:ＹＥＳ）、ＣＰＵ５０１は、テストパターン画像の投写を停止して（Ｓ５）、処理を終了する。
【００６３】
このように、本実施の形態によれば、マルチスクリーン投写が行われる場合、ユーザは、各プロジェクタ１において輝度調整を行うことができるので、各プロジェクタ１間に生じる輝度差を小さくすることができる。
【００６４】
しかも、投写光の輝度を検出するために、スクリーンに照度センサ４０１を配置するような作業が不要であるため、調整作業を簡易に行うことができる。
【００６５】
さらに、本実施の形態によれば、照度センサ４０１は、投写光の光路に掛からない位置に配され、当該光路から漏れた光の光量を検出することにより、投写光の光量を間接的に検出するような構成とされている。これにより、投写光の一部が照度センサ４０１に遮られることを防止できる。よって、投写光が遮られることによる画像品質の劣化を防止できる。
【００６６】
さらに、照度センサ４０１は、その受光面４０１ａが投写光の光路の方向を向くよう配されている。このため、投写光の光路から周囲に向けて放出される漏れ光が受光面４０１ａに当たり易い。よって、受光面４０１ａによって漏れ光を効率よく受光でき、照度センサ４０１によって良好な検出を行うことができる。
【００６７】
以上のとおり、本実施の形態について説明したが、本発明は上記実施の形態に何ら制限されるものではなく、また、本発明の実施形態も、上記実施の形態以外に、種々の変更が可能である。
【００６８】
たとえば、上記実施の形態では、センサユニット４０が、投写レンズユニット３０の出射口の周辺位置であって、投写レンズユニット３０の上部に配されている。しかしながら、センサユニット４０は、投写レンズユニット３０の出射口の周辺位置であれば、投写レンズユニット３０の下部、右部、左部等、どこに配されても良い。
【００６９】
また、上記実施の形態では、照度センサ４０１が、ホルダ４０２内において開口部４０２ａに近い位置に配されている。しかしながら、図７（ａ）に示すように、照度センサ４０１が、ホルダ４０２内において開口部４０２ａから離れた位置に配されても良い。これにより、照度センサ４０１に迷光が一層入射しにくくなる。
【００７０】
さらに、上記実施の形態では、照度センサ４０１は、受光面４０１ａの方向Ｐが投写レンズユニット３０の光軸Ｌに対して略垂直となるように配されている。しかしながら、図７（ｂ）に示すように、受光面４０１ａが、光軸Ｌに略垂直ではなく、少し投写レンズユニット３０側に向くよう、照度センサ４０１がホルダ４０２内で傾けられても良い。
【００７１】
さらに、上記実施の形態では、センサユニット４０（ホルダ４０２）がキャビネット１０に固定されている。しかしながら、センサユニット４０が、投写レンズユニット３０（ハウジング３０１）に固定されても良い。
【００７２】
また、上記実施の形態では、パネル駆動回路５０７から出力されるコモン電圧信号を変化させることにより、投写光の輝度を調整する構成とされている。しかしながら、これに限らず、たとえば、パネル駆動回路５０７から出力される駆動電圧信号を変化させることにより、投写光の輝度が調整されても良い。この場合、ＣＰＵ５０１は、取得した照度が規定照度より低ければ、駆動電圧信号を一律に上昇させ、画素電極とコモン電極との間の電位差を大きくして、各液晶パネル２１１、２１３、２１６の透過光量を上昇させる。一方、ＣＰＵ５０１は、取得した照度が規定照度より高ければ、駆動電圧信号を一律に低下させ、画素電極とコモン電極との間の電位差を小さくして、各液晶パネル２１１、２１３、２１６の透過光量を低下させる。
【００７３】
また、光源ランプ２０１の出力を調整することにより、投写光の輝度が調整されても良い。この場合、取得した照度が規定照度より高ければ、光源ランプ２０１の出力が小さくされ、取得した照度が規定照度より低ければ、光源ランプ２０１の出力が大きくされる。
また、コモン電圧信号および駆動電圧信号の少なくとも一方と、光源ランプ２０１の出力とを調整することにより、投写光の輝度が調整されても良い。
【００７４】
さらに、本実施の形態では、照度センサ４０１により検出された照度に基づいて、投写光の輝度が調整される構成とされている。しかしながら、照度センサ４０１に替えて、あるいは、照度センサ４０１に加えて、色度センサが投写レンズユニット３０の出射口近傍に配され、投写光の輝度に替えて、あるいは輝度に加えて、色度が調整されても良い。この場合、赤色、青色、緑色などのテストパターン画像がスクリーンに投写され、色度センサにて検出された色度が所定の色度となるように、ＲＧＢの各信号の大きさが、ＣＰＵ５０１からの指示のもと、パネル駆動回路５０７により調整される。
【００７５】
さらに、上記実施の形態では、光源ランプ２０１が用いられているが、ランプ光源に限らず、ＬＥＤ光源、レーザ光源等の固体光源が用いられても良い。
【００７６】
この他、本発明の実施の形態は、特許請求の範囲に示された技術的思想の範囲内において、適宜、種々の変更が可能である。
【符号の説明】
【００７７】
２０  光学エンジン
２０１  光源ランプ（光源）
２１１、２１３、２１６  液晶パネル（光変調部）
３０  投写レンズユニット（投写部）
４０  センサユニット
４０１  照度センサ（光検出部）
４０１ａ  受光面
４０２  ホルダ
４０２ａ  開口部（開口）
５０  制御回路部
５０１  ＣＰＵ（調整部）
５０７  パネル駆動回路（調整部）
【図１】
2012242457.tif 000003
【図２】
2012242457.tif 000004
【図３】
2012242457.tif 000005
【図４】
2012242457.tif 000006
【図５】
2012242457.tif 000007
【図６】
2012242457.tif 000008
【図７】
2012242457.tif 000009